(57)【要約】      （修正有）【課題】再帰反射転写フィルム層をエレメントから剥離しづらくするファスナーストリンガーを提供する。【解決手段】長手方向及び短手方向並びに表方向及び裏方向を備えるテープ２Ａと、テープの短手方向の一側縁部に沿って一列に配置された複数のエレメント２０からなるエレメント列２Ｂとを備え、各エレメントは、テープに固定されたエレメント本体２０Ａと、エレメント本体の外面のうちテープの表方向を向く面に固定されると共にエレメント本体にのみ位置する再帰反射転写フィルム層２０Ｂとを備え、再帰反射転写フィルム層は、テープの長手方向に沿って間隔をあけて配置されている。【選択図】図１
0003197220.tif 000002
【実用新案登録請求の範囲】
【請求項１】
長手方向及び短手方向並びに表方向及び裏方向を備えるテープ（２Ａ）と、前記テープ（２Ａ）の短手方向の一側縁部に沿って一列に配置された複数のエレメント（２０）からなるエレメント列（２Ｂ）とを備え、
各前記エレメント（２０）は、前記テープ（２Ａ）に固定されたエレメント本体（２０Ａ）と、前記エレメント本体（２０Ａ）の外面のうち前記表方向を向く面に固定されると共に前記エレメント本体（２０Ａ）にのみ位置する再帰反射転写フィルム層（２０Ｂ）とを備え、
前記再帰反射転写フィルム層（２０Ｂ）は、前記長手方向に沿って間隔をあけて配置されていることを特徴とするファスナーストリンガー。
【請求項２】
前記エレメント本体（２０Ａ）は、前記テープ（２Ａ）の前記一側縁部に固定される胴部（２２）と、前記胴部（２２）から前記短手方向に突出する噛合部（２４）とを備え、
前記噛合部（２４）は、前記テープ（２Ａ）の裏面側にのみ配置されるもので、
前記胴部（２２）は、前記テープ（２Ａ）の表面側に配置される第一胴部本体（２２Ａ）であって前記テープ（２Ａ）の長手方向及び短手方向を二辺の方向とする矩形状の前記第一胴部本体（２２Ａ）と、前記テープ（２Ａ）の裏面側に配置される第二胴部本体（２２Ｂ）と、前記第一胴部本体（２２Ａ）の前記短手方向の両側縁部から前記表方向に突出する一対のリブ（２６，２６）とを備え、一対の前記リブ（２６，２６）及び前記第一胴部本体（２２Ａ）により前記長手方向に貫通する溝部（２８）が形成されるものであることを特徴とする請求項１に記載のファスナーストリンガー。
【請求項３】
前記溝部（２８）の底面（２８ａ）に前記再帰反射転写フィルム層（２０Ｂ）を備えていることを特徴とする請求項２記載のファスナーストリンガー。
【請求項４】
前記溝部（２８）の底面（２８ａ）と、前記溝部（２８）の一対の内側面（２８ｂ，２８ｂ）とに、前記再帰反射転写フィルム層（２０Ｂ）を連続して備えることを特徴とする請求項３記載のファスナーストリンガー。
【請求項５】
前記溝部（２８）の前記底面（２８ａ）と、前記溝部（２８）の一対の前記内側面（２８ｂ，２８ｂ）と、一対の前記リブ（２６，２６）の前記表方向を向く面とに、前記再帰反射転写フィルム層（２０Ｂ）を連続して備えることを特徴とする請求項４記載のファスナーストリンガー。
【考案の詳細な説明】
【技術分野】
【０００１】
本発明は、たとえばスライドファスナーを構成する部品の一つであるファスナーストリンガーに関する。
【背景技術】
【０００２】
スライドファスナーは、一対のファスナーストリンガーと、一対のファスナーストリンガーの対向する側縁部に沿って摺動させるスライダーとを備えている。
【０００３】
そして従来のファスナーストリンガーの一例としては、ファスナーテープと、ファスナーテープの一側縁部に沿って間隔をあけて一列に固定された多数のエレメントからなるエレメント列と、エレメント列の上面に沿って連続して固定された１枚の再帰反射テープとを備えるものが存在する（特許文献１）。再帰反射テープは、光を反射するもので、エレメントの上面に接着されることにより、エレメントと一体化し、エレメントに再帰反射効果を与えることができる。
【先行技術文献】
【特許文献】
【０００４】
【特許文献１】実開昭６４−２０８０５号公報
【考案の概要】
【考案が解決しようとする課題】
【０００５】
しかしながら上記した一例の従来のファスナーストリンガーは、隣り合うエレメントの間において再帰反射テープがファスナーテープの上に浮いた状態となっている。これは、製造過程において、間隔をあけて配置された複数のエレメントに対して、同じく間隔をあけて再帰反射テープを１つずつ接着させることが困難であるがゆえである。つまり、再帰反射テープ付ファスナーストリンガーを連続的に製造する場合、再帰反射テープをエレメントの大きさに一つ一つ切り取って接着させることが困難であり、それゆえ特許文献１によれば再帰反射テープは一枚のテープ状で各エレメントに跨って接着されている。このように製造されたファスナーストリンガーは、この浮いた部分に外力が加わることによってその部分が切れたり、エレメントから再帰反射テープが剥離したりし、再帰反射効果が急激に低下するおそれがある。
【０００６】
本考案は、上記実情を考慮したもので、その目的は、再帰反射効果を発揮するエレメントを備えるファスナーストリンガーを容易に製造でき、再帰反射効果を持続しやすくすることである。
【課題を解決するための手段】
【０００７】
本考案のファスナーストリンガーは、長手方向及び短手方向並びに表方向及び裏方向を備えるテープと、テープの短手方向の一側縁部に沿って一列に配置された複数のエレメントからなるエレメント列とを備える。各エレメントは、テープに固定されたエレメント本体と、エレメント本体の外面のうち前記表方向を向く面に固定されると共に前記エレメント本体にのみ位置する再帰反射転写フィルム層とを備える。そして各再帰反射転写フィルム層は、前記長手方向に沿って間隔をあけて配置されている。
【０００８】
またエレメント本体の一例としては、以下の構成が挙げられる。
すなわち、エレメント本体は、テープの前記一側縁部に固定される胴部と、胴部から前記短手方向に突出する噛合部とを備え。そして噛合部は、テープの裏面側にのみ配置されるものである。また胴部は、テープの表面側に配置される第一胴部本体であってテープの長手方向及び短手方向を二辺の方向とする矩形状の第一胴部本体と、テープの裏面側に配置される第二胴部本体と、第一胴部本体の前記短手方向の両側縁部から前記表方向に突出する一対のリブとを備え、一対のリブ及び第一胴部本体により前記長手方向に貫通する溝部が形成されるものである。
【０００９】
さらに再帰反射転写フィルム層のより具体的な形成位置としては、次の（１）〜（３）のようにすることが望ましい。
（１）溝部の底面に再帰反射転写フィルム層を備えることである。
（２）溝部の底面と、溝部の一対の内側面とに、再帰反射転写フィルム層を連続して備えることである。
（３）溝部の底面と、溝部の一対の内側面と、一対のリブの前記表方向を向く面とに、再帰反射転写フィルム層を連続して備えることである。
【考案の効果】
【００１０】
本考案によれば、再帰反射効果を得るために再帰反射テープではなく、転写可能な再帰反射転写フィルム層を利用したので、各エレメント本体に対する再帰反射転写フィルム層の固定を転写によって容易にでき、間隔をあけて配置された再帰反射転写フィルム層を備えるファスナーストリンガーを容易に製造できる。しかも再帰反射転写フィルム層が各エレメント本体にのみ配置（固着）しているので、再帰反射転写フィルム層を単独で摘まんだり引っ張ったりすることができず、それゆえエレメント本体から剥離しづらくなり、再帰反射効果を持続し易いものである。
【００１１】
また一対のリブ及び第一胴部により前記長手方向に貫通する溝部が形成されるものであれば、溝部の底面に位置する再帰反射転写フィルム層が、一対のリブにより短手方向から剥離しづらくなる。
【００１２】
さらに溝部の底面だけでなく、溝部の一対の内側面や、一対のリブの前記一方向を向く面とに再帰反射転写フィルム層を連続して備えるものであれば、再帰反射効果が大きくなる。
【図面の簡単な説明】
【００１３】
【図１】本考案の第一実施形態のスライドファスナーを示す平面図で、エレメントを拡大して示してある。
【図２】（ａ）図はエレメント本体を主に上面側から示す斜視図で、（ｂ）図はエレメント本体を主に下面側から示す斜視図である。
【図３】エレメント本体に対する再帰反射転写フィルム層の形成位置を示す断面図である。
【図４】スライダー内でのエレメントの状態を示す断面図である。
【図５】第一実施形態の変形例に用いられるエレメントを示す断面図である。
【図６】転写装置を示す説明図である。
【図７】本考案の第二実施形態のスライドファスナーに用いられるエレメントを示す断面図である。
【考案を実施するための形態】
【００１４】
本考案の第一実施形態のスライドファスナー１は、図１に示すように、長手方向と短手方向を有する帯状の一対のファスナーストリンガー２，２と、同一平面において平行に配置された一対のファスナーストリンガー２，２の対向する側縁部に沿って移動可能なスライダー３と、一対のファスナーストリンガー２，２が延長する長手方向の両端部においてスライダー３の移動範囲を定める第１及び第２の止具４，５とを備える。
【００１５】
そしてスライダー３を前記長手方向のうち一方向へ移動させることによって、一対のファスナーストリンガー２，２を開くことができ、スライダー３が移動範囲の一方の限界位置に達すると、第１の止具４に衝突する。またスライダー３を前記長手方向のうち他方向へ移動させることによって、一対のファスナーストリンガー２，２を閉じることができ、スライダー３が移動範囲の他方の限界位置に達すると、第２の止具５に衝突する。
【００１６】
以後の方向性を説明するに際して、長手方向のことを前後方向とも言い、前側とは、図１の上側であって、スライダー３が一対のファスナーストリンガー２，２を閉じる方向である。後側とは、図１の下側であって、スライダー３が一対のファスナーストリンガー２，２を開く方向である。また短手方向のことを幅方向、あるいは左右方向とも言い、左側とは、図１の左側であって、右側とは、図１の右側である。さらに前後方向及び左右方向に直交する方向を上下方向、あるいは厚み方向と言う。上側とは、図１の紙面に対して直交する方向のうち手前側であって、下側とは、図１の紙面に対して直交する方向のうち奥側である。なお、上下方向は、ファスナーストリンガー２のテープ２Ａを基準として説明する場合、厚み方向あるいは表裏方向とも言い、テープ２Ａの表面とは図１の紙面で手前側の面、テープ２Ａの裏面とは図１の紙面で奥側の面である。
【００１７】
一対のファスナーストリンガー２，２は、前後に延長すると共に左右に並べる一対のテープ２Ａ，２Ａと、一対のテープ２Ａ，２Ａにおける対向する左右の側縁部に沿って固定された一対のエレメント列２Ｂ，２Ｂとを備えている。
【００１８】
各テープ２Ａは帯状であって、前後方向を長手方向とし、左右方向を短手方向とし、上下方向を厚み方向又は表裏方向とする。また各テープ２Ａは、その短手方向の一側縁部を芯部２Ａ１とし、芯部２Ａ１の厚みを、それ以外の部分よりも厚く形成してある。
【００１９】
各エレメント列２Ｂは、テープ２Ａの対向する側縁部に沿って一列に配置された多数のエレメント２０によって形成される。多数のエレメント２０は各々独立してテープ２Ａに取着されており、図１では、これらエレメント２０は、前後に間隔をあけてテープ２Ａに固定されている。そして一対のファスナーストリンガー２，２を閉じる為にスライダー３を前方へ移動させると、一対のエレメント列２Ｂ，２Ｂのエレメント２０，２０同士が噛合する。また一対のファスナーストリンガー２，２を開く為にスライダー３を後方へ移動させると、一対のエレメント列２Ｂ，２Ｂのエレメント２０，２０同士が左右に分離する。なおエレメント２０については、後で詳述する。
【００２０】
スライダー３は図１又は図４に示すように、一対のエレメント列２Ｂ，２Ｂに係合すると共に前後に移動可能なスライダー胴体３Ａと、スライダー胴体３Ａに対して連結される引手３Ｂとを備える。
【００２１】
スライダー胴体３Ａは、上下方向に間隔をおいて対向する上下の翼板３２，３２と、上下の翼板３２，３２の前部同士の対向する間を互いの左右方向中間部において連結する連結柱（図示略）であって一対のエレメント列２Ｂ，２Ｂの間に挟まれる連結柱と、上下の翼板３２，３２の少なくとも一方（図示の例では両方）の左右端部から上下の翼板３２，３２の対向する間隔を狭める方向に突出するフランジ３４と、上側の翼板３２の上面側に突出する引手取付部３６とを備えている。
【００２２】
またスライダー胴体３Ａはその内部空間として、前後方向に貫通すると共に前側が二又に分岐したエレメント通路３Ｃと、エレメント通路３Ｃに連通すると共に左右に開口するテープ溝３Ｄが形成される。エレメント通路３Ｃには一対のエレメント列２Ｂ，２Ｂが通され、各テープ溝３Ｄには対応する側のテープ２Ａが通される。またスライダー胴体３Ａにはその一部として引手取付部３６が設けられ、図示の例では引手取付部３６は、一対のエレメント２０，２０の上方を案内する翼板３２の上面から上方に突出するように設けられ、左右方向に貫通する貫通穴（図示略）が形成されている。そしてこの貫通穴に引手３Ｂの一部を挿通することにより、引手３Ｂはスライダー胴体３Ａに連結される。
【００２３】
第１の止具４は、２つのテープ２Ａ，２Ａの前端部にそれぞれ固定されており、より詳しくは双方のエレメント列２Ｂ，２Ｂよりも前方に間隔をおいて固定されている。また第１及び第２の止具４，５は、たとえばエレメント２０よりも上下方向の厚みを厚くする等の構成により、スライダー３に衝突するようになっている。
【００２４】
第２の止具５は、２つのテープ２Ａ，２Ａの後端部に固定されており、より詳しくは双方のエレメント列２Ｂ，２Ｂよりも後方に間隔をおいて固定されている。また第２の止具５は、本実施形態では開離嵌挿具と称されるもので、２つのテープ２Ａ，２Ａのうち一方に固定された蝶棒５ａと、他方に固定された箱５ｂとから構成される。
箱５ｂは、前後に延長する蝶棒５ａの前部に対して平行に並べられる箱棒と、蝶棒５ａの後部が挿入される蝶棒穴（図示略）を備える箱体とを備える。そして箱体の前面であって左右方向のうち前記一方向とは反対側の方向（図では左側）の部分には蝶棒穴（図示略）が形成され、同じく箱体の前面であって左右方向のうち前記一方向側の部分に箱棒が前方に突出する状態で接合されている。この箱５ｂがスライダー３の後面に衝突するようになっている。
【００２５】
エレメント２０は図１〜図４に示すように、テープ２Ａに固定されたエレメント本体２０Ａと、エレメント本体２０Ａの外面のうち表方向を向く面に固定されていると共にエレメント本体２０Ａにのみ位置する再帰反射転写フィルム層２０Ｂとを備えるものである。図１にはエレメント２０の第一例が示されており、第一例では、外面のうち表方向を向く面は上面に該当し、外面のうち裏方向を向く面は下面に該当する。
【００２６】
エレメント本体２０Ａは樹脂製又は金属製であって、主に図２に示すようにテープ２Ａの一側縁部に固定される胴部２２と、胴部２２から幅方向（テープ２Ａの短手方向）に突出する噛合部２４とを備える。
【００２７】
胴部２２は、テープ２Ａに対して上側（表面側）に配置される第一胴部本体２２Ａと、テープ２Ａに対して下側（裏面側）に配置される第二胴部本体２２Ｂと、第一胴部本体２２Ａの幅方向の両側縁部から上方向（表方向）に突出する一対のリブ（２６，２６）とを備える。
【００２８】
第二胴部本体２２Ｂは、上下方向から視て、テープ２Ａの長手方向及び短手方向を二辺の方向とする矩形状の板であって、下面が平らなものである。また第二胴部本体２２Ｂは幅方向の一端をテープ２Ａの下方に配置すると共に、幅方向の他端をテープ２Ａよりも幅方向の外側に配置してある。
【００２９】
第一胴部本体２２Ａは、上下方向から視て、テープ２Ａの長手方向及び短手方向を二辺の方向とする矩形状の板であって、上面が平らなものである。ちなみにこの平らな上面のち幅方向の両端部から、一対のリブ２６，２６が上方に突出している。また第一胴部本体２２Ａは、幅方向の一端をテープ２Ａの上方に配置すると共に、幅方向の他端をテープ２Ａよりも幅方向の外側に配置してある。ただし幅方向の位置に関して、第一胴部本体２２Ａの幅方向の一端は、第二胴部本体２２Ｂの幅方向の一端に揃え、第一胴部本体２２Ａの幅方向の他端は、第二胴部本体２２Ｂの幅方向の他端よりも幅方向に延長している。より詳しくは、第一胴部本体２２Ａの幅方向の他端は、噛合部２４の後述する首部２４Ａに達するまで延長している。したがって第一胴部本体２２Ａは、第二胴部本体２２Ｂよりも幅が広い形状となっている。
【００３０】
また第一胴部本体２２Ａと第二胴部本体２２Ｂとは、幅方向の一方側においてテープ２Ａを上下から挟み、幅方向の他端側において上下に連続するものである。したがって第一胴部本体２２Ａと第二胴部本体２２Ｂの幅方向の一方側にはテープ２Ａを収容する収容部２２Ｃが溝状に形成されている。収容部２２Ｃは、前後方向に貫通すると共に幅方向の一方側に向かって開口する形状になっている。
【００３１】
一対のリブ２６，２６は左右対称形状をしている。各リブ２６は、前後方向から視て、上面が半円状に膨らむ形状をしており、第一胴部本体２２Ａの前後長の全長に亘って延長している。そして一対のリブ２６，２６及び第一胴部本体２２Ａにより前後方向に貫通する溝部２８が、上方に向かって開口して形成されている。また溝部２８の内面は、底面２８ａ（第一胴部本体２２Ａの上面）と、底面２８ａの両側において幅方向に対向する一対の内側面２８ｂ，２８ｂ（一対のリブ２６，２６の対向する面）とから構成され、一対の内側面２８ｂ，２８ｂは底面２８ａの幅方向両端から上方向（表方向）に延長するものである。したがって胴部２２の外面のうち上面（表方向を向く面）は、一対のリブ２６，２６の上面と、溝部２８の底面２８ａと、溝部２８の一対の内側面２８ｂ，２８ｂによって形成される。
【００３２】
なお第一胴部本体２２Ａ、第二胴部本体２２Ｂ、一対のリブ２６，２６、噛合部２４から構成されるエレメント本体２０Ａは、テープ２Ａを基準として厚み方向に分けると、上側には第一胴部本体２２Ａと一対のリブ２６，２６とが配置され、下側には第二胴部本体２２Ｂと噛合部２４とが配置されている。この配置関係により、噛合部２４の上面は、第一胴部本体２２Ａの上面よりも下側に配置されている。
【００３３】
噛合部２４は、隣り合うエレメント２０，２０同士を噛合するためのものである。また噛合部２４は、対向するテープ２Ａへ向かって第二胴部本体２２Ｂの前後方向中央部から幅方向に突出する首部２４Ａと、対向するテープ２Ａへ向かって首部２４Ａから幅方向に突出する頭部２４Ｂとを備えている。首部２４Ａは、前後幅が第二胴部本体２２Ｂよりも短く形成されている。頭部２４Ｂは、前後幅が第二胴部本体２２Ｂよりも短く首部２４Ａよりも長いもので、首部２４Ａに対して前後両方向に突出する形状に形成されている。
【００３４】
再帰反射転写フィルム層２０Ｂは図１、図３に示すように、第一胴部本体２２Ａの上面のうち溝部２８の底面２８ａにのみ貼り付けられている。より詳しく言えば底面２８ａの全域に再帰反射転写フィルム層２０Ｂは矩形状となって貼り付けられている。
【００３５】
再帰反射転写フィルム層２０Ｂは、自らは光を発しないが、光を受けた場合にその光を反射するという、再帰反射効果を発揮するものである。具体的な一例としては、多数のガラスビーズ球を内蔵した透明な層である。より具体的な一例としては、無色透明の金属化合物（酸化チタン、酸化ビスマス、酸化ジルコニウム等）の被覆層、ガラスビーズ球が多数散在した層、無色透明の樹脂（ポリウレタン、ポリ塩化ビニル等）の被覆層を順に上側に積重ねた積層構造である。
【００３６】
本考案の第一実施形態のスライドファスナー１に含まれるファスナーストリンガー２は以下の効果を有する。各エレメント２０には再帰反射転写フィルム層２０Ｂが一つのみ存在し、その１つの再帰反射転写フィルム層２０Ｂは１つのエレメント本体２０Ａにのみ存在し、エレメント本体２０Ａの周囲に突出するような部分を有しない。すなわち、隣り合うエレメント２０，２０同士は、その上面が長手方向に間隔をあけて配置されているので、隣り合うエレメント２０，２０の再帰反射転写フィルム層２０Ｂ，２０Ｂ同士も長手方向に間隔をあけて配置されていることになる。それゆえ、再帰反射転写フィルム層２０Ｂは、単独で摘まんだり引っ張ったりすることができないものであり、エレメント本体２０Ａから剥離しづらく、再帰反射効果を持続し易いものである。しかも図１又は図３に示すように再帰反射転写フィルム層２０Ｂは溝部２８にのみ形成されているので、図４に示すようにスライダー３を摺動させても、上側の翼板３２に擦れることがなく、長期に亘って再帰反射効果を発揮することができる。また全てのエレメント２０が再帰反射転写フィルム層２０Ｂを含む構成となっているので、ファスナーストリンガー２の一側縁部においてほぼ全長に亘って再帰反射効果を得られるものである。
【００３７】
本考案の第一実施形態のスライドファスナー１に含まれるファスナーストリンガー２は、再帰反射転写フィルム層２０Ｂを溝部２８の底面２８ａにのみ形成してある例だが、第一実施形態の変形例が図５に示されている。この変形例のスライドファスナー１に含まれるファスナーストリンガー２では、再帰反射転写フィルム層２０Ｂを一対のリブ２６，２６の上面、溝部２８の一対の内側面２８ｂ，２８ｂ、溝部２８の底面２８ａに連続して形成してある。これによって再帰反射効果が大きくなる。なおこの場合、再帰反射転写フィルム層２０Ｂのうち一対のリブ２６，２６の上面に固定された部分はスライダー３の翼板３２に擦れて削られていくが、再帰反射転写フィルム層２０Ｂのうち溝部２８の内面に固定された部分は翼板３２に擦れることなく、長期に亘って再帰反射効果を発揮することができる。
【００３８】
再帰反射転写フィルム層２０Ｂは、転写装置を用いてエレメント本体２０Ａに形成する。図６には転写装置９の一例が示されている。この転写装置９は、再帰反射フィルムＦが巻かれた再帰反射ロールＲ１と、ストリンガーロールＲ２に対して使用する。再帰反射ロールＲ１は、再帰反射フィルムＦの巻物であり、再帰反射フィルムＦは長い帯状のフィルム本体の一面にその長手方向に沿ってエレメント本体２０Ａよりも幅広の再帰反射転写フィルム層２０Ｂを積層してあるもので、再帰反射転写フィルム層２０Ｂの表面（フィルム本体に積層する面とは反対側の面）側には接着剤の層を備えるもので、この接着剤の層は常温では接着機能を発揮しないものである。ストリンガーロールＲ２は、再帰反射転写フィルム層２０Ｂが転写されてないファスナーストリンガー２Ｈ（半製品のファスナーストリンガー）の巻物であり、半製品のファスナーストリンガー２Ｈは、テープ２Ａに多数のエレメント本体２０Ａを固定したものであって、エレメント本体２０Ａには再帰反射転写フィルム層２０Ｂが形成されていないものである。
【００３９】
転写装置９は、再帰反射ロールＲ１を回転可能に支持する反射ロール用支持部９１と、ストリンガーロールＲ２を回転可能に支持するストリンガー用支持部９２と、反射ロール用支持部９１とストリンガー用支持部９２から供給される再帰反射フィルムＦ及び半製品のファスナーストリンガー２Ｈを重ね合わせた状態で挿通する一対の転写ローラ９３，９３と、一対の転写ローラ９３，９３間を通過した再帰反射フィルムＦを巻き取るフィルム用巻取ローラ９４と、一対の転写ローラ９３，９３間を通過したファスナーストリンガー２を巻き取るストリンガー用巻取ローラ９５とを備えている。
【００４０】
また一対の転写ローラ９３，９３のうち一方のローラ、たとえば図示の上側の転写ローラ９３は、図示しない駆動装置によって回転させると共に、しかも所定の温度に熱せられるものとする。他方の転写ローラ９３、たとえば図示の下側の転写ローラ９３は、上側の転写ローラ９３の回動によって回動させられる従動ローラである。なお図示の例では、従動ローラとしての下側の転写ローラ９３とストリンガー用支持部９２との間には、半製品のファスナーストリンガー２Ｈの移送路を定めるローラ９６が配置され、下側の転写ローラ９３とストリンガー用巻取ローラ９５との間には、ファスナーストリンガー２の移送路を定めるローラ９７が配置されている。また、転写ローラ９３の外周面はゴムやエラストマー、シリコンなどの弾力のある部材からなる。
【００４１】
上記した転写装置９を用いて第一実施形態の変形例のファスナーストリンガー２を製造する方法を説明する。この製造方法は、以下の（１）、（２）、（３）の工程により、半製品のファスナーストリンガー２Ｈに再帰反射転写フィルム層２０Ｂを転写し、ファスナーストリンガー２を形成する。
【００４２】
（１）の工程は、半製品のファスナーストリンガー２Ｈと、再帰反射フィルムＦとを別々に一対の転写ローラ９３，９３の間へ向かって供給する工程である。まずフィルム用及びストリンガー用巻取ローラ９４，９５を駆動させてこれらを一方向に回転させると共に、図示しない駆動装置を駆動させて一対の転写ローラ９３，９３の一方を一方向に回転させると共に加熱する。そうすると、第１の工程では、再帰反射ロールＲ１から再帰反射フィルムＦが引き出されると共に、ストリンガーロールＲ２から半製品のファスナーストリンガー２Ｈが引き出され、一対の転写ローラ９３，９３に向かっていく。そして半製品のファスナーストリンガー２Ｈのうち一対のリブ２６，２６側の面と、再帰反射フィルムＦの表面（接着剤が塗布された面）が対向するように一対の転写ローラ９３，９３に向かって供給される。
【００４３】
（２）の工程は、ファスナーストリンガー２における長手方向及び短手方向に直交する上下方向のうち一方の面と再帰反射フィルムＦを重ね合わせて一対の転写ローラ９３，９３の間に通すことにより再帰反射フィルムＦの再帰反射転写フィルム層２０Ｂをファスナーストリンガー２のエレメント本体２０Ａの前記一方の面に転写する工程である。より詳しくは、半製品のファスナーストリンガー２Ｈと再帰反射フィルムＦは、一対の転写ローラ９３，９３間に通されることにより挟まれながら重なり合い、一対の転写ローラ９３，９３間において加熱された転写ローラ９３から熱が加わることにより、接着剤を介して再帰反射転写フィルム層２０Ｂがエレメント本体２０Ａの一対のリブ２６，２６側の面に転写され、付着する。再帰反射フィルムＦは、エレメント本体２０Ａに転写された部分だけ再帰反射転写フィルム層２０Ｂが除去され、フィルム本体が剥き出しになる。そして再帰反射転写フィルム層２０Ｂとエレメント本体２０Ａとによってエレメント２０が完成し、エレメント２０の完成によってファスナーストリンガー２が完成する。ちなみに転写ローラ９３の外周面が弾力性を有しているので、一対のリブ２６，２６があるにも関わらず、一対のリブ２６，２６の上面、溝部２８の底面２８ａ、及び溝部２８の一対の内側面２８ｂ，２８ｂに転写ローラ９３の外周面が嵌り込むように変形し、それによって図５に示すように一対のリブ２６，２６の上面、溝部２８の底面２８ａ、及び溝部２８の一対の内側面２８ｂ，２８ｂに再帰反射転写フィルム層２０Ｂが転写される。
【００４４】
（３）の工程は、ファスナーストリンガー２と再帰反射フィルムＦを別々に巻き取る工程である。より詳しくは、完成したファスナーストリンガー２は、ストリンガー用巻取ローラ９５に巻き取られ、再帰反射転写フィルム層２０Ｂが転写された分だけ無くなった残りの再帰反射フィルムＦは、フィルム用巻取ローラ９４に巻き取られる。
【００４５】
上記実施形態の製造方法は、以上の（１）〜（３）の工程により、エレメント本体２０Ａの上面のほぼ全域に再帰反射転写フィルム層２０Ｂを転写するものである。そして転写するだけで、再帰反射転写フィルム層２０Ｂをエレメント本体２０Ａにのみ容易に固着することができ、間隔をあけて配置された再帰反射転写フィルム層２０Ｂを備えるファスナーストリンガー２を容易に製造できる。なおこの場合には、エレメント本体２０Ａよりも幅広の再帰反射転写フィルム層２０Ｂがフィルム本体に積層された再帰反射フィルムＦを用いていた。しかしエレメント２０の溝部２８の底面の幅と同じか、僅かに幅狭の再帰反射転写フィルム層２０Ｂがフィルム本体に積層された再帰反射フィルムＦを用いれば、溝部２８の底面２８ａにのみ再帰反射転写フィルム層２０Ｂを転写することも可能である。
【００４６】
本考案の第二実施形態のスライドファスナー１に含まれるファスナーストリンガー２は、図７に示すように、一対のリブ２６，２６の上面をテープ２Ａの上下面と平行な形状としたものである。一対のリブ２６，２６の上面が第一胴部本体２２Ａから上方に突出する長さは、再帰反射転写フィルム層２０Ｂの厚みよりも僅かに長いものとしてある。したがって一対のリブ２６，２６と第一胴部本体２２Ａとで形成される溝部２８は、一対のリブ２６，２６の上面よりもわずかに窪んだ形状となる。また溝部２８の内面には、その底面２８ａと一対の内側面２８ｂ，２８ｂとに再帰反射転写フィルム層２０Ｂが連続して固定されたものとなっている。
【００４７】
この第二実施形態のファスナーストリンガー２を製造する場合は、先の製造方法の（１）、（２）の工程を行った後に、一対のリブ２６，２６の上部を削る切削工程を行い、その後に（３）の工程を行う。これによって一対のリブ２６，２６の上面に形成されていた再帰反射転写フィルム層２０Ｂをリブ２６の一部ごと削り落とし、溝部２８の底面２８ａ及び一対の内側面２８ｂ、２８ｂにのみ再帰反射転写フィルム層２０Ｂを形成することができる。
【００４８】
本考案は上記実施形態に限定されるものではなく、その趣旨を逸脱しない範囲において適宜変更可能である。たとえば前記実施形態は、胴部２２に関して第二胴部本体２２Ｂに比べて第一胴部本体２２Ａの幅を広く形成してあったが、本考案はこれに限らず、第二胴部本体２２Ｂと第一胴部本体２２Ａの幅を等しくすると共に、第一胴部本体２２Ａと第二胴部本体２２Ｂを上下対称形状としたものであっても良い。
【００４９】
また前記実施形態では、独立したエレメント２０によりエレメント列２Ｂを形成してあるが、これに限らずコイルエレメントによりエレメント列を形成するものであっても良い。コイルエレメントとは、螺旋方向に連続する一巻分の長さのエレメントを多数螺旋状に連続してあるものである。そしてこのコイルエレメントの各エレメントにおける上下方向の一面に再帰反射転写フィルム層を固定するものであっても良い。ちなみにこの場合、再帰反射転写フィルム層を転写装置により形成するには、前記実施形態の半製品のファスナーストリンガーの代わりに、エレメント同士が噛合している一対のコイルエレメントを用いる。そして一対のコイルエレメントに再帰反射転写フィルム層を転写してから、一対のテープの対向する側縁部に一対のコイルエレメントを縫着することにより、一対のファスナーストリンガーを形成する。
【符号の説明】
【００５０】
１  スライドファスナー
２  ファスナーストリンガー
２Ｈ  半製品のファスナーストリンガー
２Ａ  テープ
２Ａ１  芯部
２Ｂ  エレメント列
２０  エレメント
２０Ａ  エレメント本体
２０Ｂ  再帰反射転写フィルム層
２２  胴部
２２Ａ  第一胴部本体
２２Ｂ  第二胴部本体
２２Ｃ  収容部
２４  噛合部
２４Ａ  首部
２４Ｂ  頭部
２６  リブ
２８  溝部
２８ａ  底面
２８ｂ  内側面
３  スライダー
３Ａ  スライダー胴体
３２  翼板
３４  フランジ
３６  引手取付部
３Ｂ  引手
３Ｃ  エレメント通路
３Ｄ  テープ溝
４  第１の止具
５  第２の止具
５ａ  蝶棒
５ｂ  箱
９  転写装置
９１  反射ロール用支持部
９２  ストリンガー用支持部
９３  転写ローラ
９４  フィルム用巻取ローラ
９５  ストリンガー用巻取ローラ
９６  ローラ
９７  ローラ
Ｆ  再帰反射フィルム
Ｒ１  再帰反射ロール
Ｒ２  ストリンガーロール
【図１】
0003197220.tif 000003
【図２】
0003197220.tif 000004
【図３】
0003197220.tif 000005
【図４】
0003197220.tif 000006
【図５】
0003197220.tif 000007
【図６】
0003197220.tif 000008
【図７】
0003197220.tif 000009